(57)【要約】      （修正有）【課題】３段式スライドレールのトラベル時の各々の作動序列を制御するための逆序列機構を装備した序列機構付きの逆序列機構スライドレールを提供する。【解決手段】逆序列機構スライドレールの序列機構１０が、アウターメンバ先端部１００ｅの係合位置Ｓに突設される中間メンバ制御突起１１０と、中間メンバ先端部に揺動自在に軸着され係合位置方向へ回転付勢される作動制御板３１０と、インナーメンバ先端部２００ｅに突設される中間メンバ係合突起２１０と、からなり、作動制御板は、中間メンバ制御突起に係合するアウターメンバ係合突部３１４と、中間メンバ係合突起に係合するインナーメンバ係合突部と、インナーメンバ２００に当接して作動制御板を回転付勢と逆方向へ回転させる中間メンバ係合解除凸部３１８と、を突設するとともに、インナーメンバは、引込作動時に作動制御板を保持する保持部２２０と、保持を解除する回転解除溝２３０と、を設けた。【選択図】図１
2020005685.tif 000002
【特許請求の範囲】
【請求項１】
アウターメンバ(100)と、インナーメンバ(200)と、前記アウターメンバおよびインナーメンバの間に前後動自在に設置されるインナーメンバより長尺の中間メンバ(300)と、ボール(410)と、ボールリテーナ(400)とからなる序列機構(10)付きの逆序列機構スライドレール(1)において、
前記序列機構(10)は、アウターメンバ先端部(100e)のスライドレール幅方向中央から端辺部方向へ偏位した係合位置(s)に突設される中間メンバ制御突起(110)と、中間メンバ先端部(300e)に揺動自在に軸着されるとともに弾性部材(312)によって係合位置(s)方向へ回転付勢される作動制御板(310)と、インナーメンバ先端部(200e)に突設される前記作動制御板と付勢回転により係合する中間メンバ係合突起(210)と、からなり、
前記作動制御板(310)は、前記中間メンバ制御突起(110)に係合するためのアウターメンバ係合突部(314)と、前記中間メンバ係合突起(210)に係合するためのインナーメンバ係合突部(316)と、前記インナーメンバに当接して作動制御板を回転付勢と逆方向へ回転させるための中間メンバ係合解除凸部(318)と、を突設するとともに、前記インナーメンバ(200)は、引込作動時に前記作動制御板(310)を保持する保持部(220)と、前記作動制御板の保持を解除して係合位置s方向へ回転可能とする回転解除溝(230)と、を設けた事を特徴とする逆序列機構スライドレール。
【請求項２】
前記逆序列機構スライドレールは、
前記インナーメンバの引出作動時は、係合位置(s)方向へ回転付勢される前記作動制御板(310)の前記アウターメンバ係合突部(314)が前記中間メンバ制御突起(110)に係合することにより、前記アウターメンバ(100)が前記中間メンバ(300)をロック停止した状態で前記中間メンバ内を前記インナーメンバ(200)がスライドレールの先端方向に摺動前進し、前記インナーメンバ先端部(200e)が前記中間メンバ先端部(300e)へ到達した時には、前記インナーメンバ先端部(200e)が中間メンバ係合解除凸部(318)に当接押圧して前記アウターメンバ係合突部(314)と前記中間メンバ制御突起(110)との係合を解除することにより、前記中間メンバのロック停止が解除され、前記中間メンバ(300)が前記アウターメンバ(100)の中を解放された状態で先端まで摺動伸延するとともに前記インナーメンバ(200)が前記作動制御板(310)を保持しながら中間メンバ(300)の中を先端まで摺動伸延するように作動序列制御され、
前記インナーメンバの引込作動時は、前記インナーメンバ(200)の摺動後退の中途で前記中間メンバ先端部(300e)に前記インナーメンバ先端部(200e)が到達した際に、保持部(220)に保持された前記作動制御板(310)が前記回転解除溝(230)に嵌合して係合位置(s)方向へ回転することにより、前記インナーメンバ係合突部(316)が前記中間メンバ係合突起(210)に係合して前記インナーメンバ(200)が前記中間メンバ(300)にロック抱合され、前記アウターメンバ(100)の中を前記中間メンバ(300)が前記インナーメンバ(200)とともに摺動後退し、前記中間メンバ(300)の先端部(300e)が前記アウターメンバ(100)の先端部(100e)に到達すると、前記作動制御板(310)のアウターメンバ係合突部(314)が中間メンバ制御突起(110)に当接して前記作動制御板(310)を回転付勢と逆方向（A上方向）へ回転することにより前記インナーメンバ係合突部(316)と前記中間メンバ係合突起(210)との係合が解除されて前記中間メンバ(300)と前記インナーメンバ(200)のロックが解除され、前記インナーメンバ(200)が前記中間メンバ(300)の中を摺動後退するとともに、前記中間メンバ(300)が前記アウターメンバ(100)にロック抱合されるように作動序列制御されることを特徴とする請求項１記載の逆序列機構スライドレール。
【請求項３】
前記中間メンバ制御突起(110)は、当接する前記アウターメンバ係合突部(314)を係合位置(s)方向と反対側に回転移動させるため、前記中間メンバ先端部(200e)側に制御スロープ(112)を設けたことを特徴とする請求項１記載の逆序列機構スライドレール。
【発明の詳細な説明】
【技術分野】
【０００１】
本発明は、電子機器、家具等の引出／引込動作が行われる可動部に設置されるスライドレールであって、特に、アウターメンバと中間メンバとインナーメンバとからなる３段スライドレールのインナーメンバの引込時に、インナーメンバが中間メンバを追い越した状態で中間メンバがアウターメンバに引き込まれることを防止するための逆序列機構を装備した序列機構付きの逆序列機構スライドレールに関する。
【背景技術】
【０００２】
従来より、電子機器や家具等に設置される重量のある引き戸や、キャビネット、抽斗等の移動体や収納体を容易に摺動引出／引込するための手段として、スライドレールが多数使用されている。スライドレールは、可動部分である抽斗等を引出し、または引戻して収納する際に生じる摩擦を軽減し、重量のある抽斗等であっても容易に引出／引戻移動を可能とするものである。
【０００３】
３段式のスライドレールでは、アウターメンバとインナーメンバの間に中間メンバが摺動自在に設置される構造であるため、中間メンバのスライド位置、すなわち作動序列を制御しないと、例えば、スライドレールの引込時に中間メンバがはみ出した状態になる可能性がある。
【０００４】
多くの場合は、引込時に過引込を防止するため、中間メンバにインナーメンバのストッパを設け、アウターメンバに中間メンバのストッパが設けられている例がある。これにより、中間メンバが未だアウターメンバの外側に位置しており引込動作途中であるにも拘われずインナーメンバの先端部が中間メンバ内に入り込む状態となったり、中間メンバがアウターメンバからはみ出すことを簡易的に防止することが可能となっている。しかしながら、これは、インナーメンバと中間メンバが略同じ長さからなる場合であり、インナーメンバが中間メンバより短い場合には、中間メンバが未だアウターメンバの外側に位置する引込動作途中であっても、高確率で、インナーメンバの先端部が中間メンバ内に入り込んでしまう状態が発生するという問題点が内在する。
【０００５】
本発明の出願人は、特許第５６３６０２９号（特開２０１４−０６１０８１号）の特許権者である。ここでは、３段式スライドレールの作動序列を制御するための機構に係る発明として、制御板と各レールに設けられた突起とからなる作動制御部により各レールの作動順序を制御する構造が開示されている。具体的には、中間レールのロック・解除機構が、中間レールの前進を停止するために設けられた係止突起に当接する当接脚と、中間レールの後退を阻止するために設けられる係止突起に当接する係止脚とからなり、インナーレールのロック・解除機構が、係合凸部に係合させてインナーレールを中間レールにロック抱合係止させるとともに係合を解除する係合当接片と、前進状態で停止させる先端ストッパとからなり、上記係止脚と当接脚と係合当接片を備えた制御板が、中間レールに回動自在に軸着される構造が開示されている。
【０００６】
この構造により、スライドレールの伸張時には、中間レール、インナーレールの順で作動し、後退時は、インナーレール、中間レールの順に移動するよう、各レールの作動序列を規則化して制御することが可能となる旨が開示されている。
【０００７】
確かにこの技術によれば、各レールの作動序列を制御することが可能となるが、中間レールよりインナーレールの方が短い場合にインナーレールが中間レールより先に引込まれないように制御しながら、全てのレールを引込むことが出来ないという問題点があった。
【０００８】
そこで、中間メンバが未だアウターメンバの外側に位置する引込動作途中にインナーメンバの先端部が中間メンバ内に入り込んで、中間メンバが外部へ突出した状態となることを防止するための逆序列機構を装備した序列機構付きの逆序列機構スライドレールを開発することが望まれていた。
【特許文献１】特許第５６３６０２９号（特開２０１４−０６１０８１号）公報
【発明の開示】
【発明が解決しようとする課題】
【０００９】
本発明の目的は、上記の課題を解決するため、電子機器、家具等の引出／引込動作が行われる可動部に設置されるスライドレールに関し、特に、アウターメンバと中間メンバとインナーメンバとからなる３段スライドレールのトラベル時の各々の作動序列を制御し、インナーメンバの引込時に、インナーメンバが中間メンバを追い越した状態で中間メンバがアウターメンバに引き込まれることを防止するための逆序列機構を装備した序列機構付きの逆序列機構スライドレールを提供することを目的とする。
【課題を解決するための手段】
【００１０】
上記目的を達成するため本発明に係る逆序列機構スライドレールは、アウターメンバと、インナーメンバと、前記アウターメンバおよびインナーメンバの間に前後動自在に設置されるインナーメンバより長尺の中間メンバと、ボールと、ボールリテーナとからなる序列機構付きの逆序列機構スライドレールであって、前記序列機構は、アウターメンバ先端部のスライドレール幅方向中央から端辺部方向へ偏位した係合位置に突設される中間メンバ制御突起と、中間メンバ先端部に揺動自在に軸着されるとともに弾性部材によって係合位置方向へ回転付勢される作動制御板と、インナーメンバ先端部に突設される前記作動制御板と付勢回転により係合する中間メンバ係合突起と、からなり、前記作動制御板は、前記中間メンバ制御突起に係合するためのアウターメンバ係合突部と、前記中間メンバ係合突起に係合するためのインナーメンバ係合突部と、前記インナーメンバに当接して作動制御板を回転付勢と逆方向へ回転させるための中間メンバ係合解除凸部と、を突設するとともに、前記インナーメンバは、引込作動時に前記作動制御板を保持する保持部と、前記作動制御板の保持を解除して係合位置方向へ回転可能とする回転解除溝と、を設けた構成である。
【００１１】
また、前記逆序列機構スライドレールは、前記インナーメンバの引出作動時は、係合位置方向へ回転付勢される前記作動制御板の前記アウターメンバ係合突部が前記中間メンバ制御突起に係合することにより、前記アウターメンバが前記中間メンバをロック停止した状態で前記中間メンバ内を前記インナーメンバがスライドレールの先端方向に摺動前進し、前記インナーメンバ先端部が前記中間メンバ先端部へ到達した時には、前記インナーメンバ先端部が中間メンバ係合解除凸部に当接押圧して前記アウターメンバ係合突部と前記中間メンバ制御突起との係合を解除することにより、前記中間メンバのロック停止が解除され、前記中間メンバが前記アウターメンバの中を解放された状態で先端まで摺動伸延するとともに前記インナーメンバが前記作動制御板を保持しながら中間メンバの中を先端まで摺動伸延するように作動序列制御され、前記インナーメンバの引込作動時は、前記インナーメンバの摺動後退の中途で前記中間メンバ先端部に前記インナーメンバ先端部が到達した際に、保持部に保持された前記作動制御板が前記回転解除溝に嵌合して係合位置方向へ回転することにより、前記インナーメンバ係合突部が前記中間メンバ係合突起に係合して前記インナーメンバが前記中間メンバにロック抱合され、前記アウターメンバの中を前記中間メンバが前記インナーメンバとともに摺動後退し、前記中間メンバの先端部が前記アウターメンバの先端部に到達すると、前記作動制御板のアウターメンバ係合突部が中間メンバ制御突起に当接して前記作動制御板を回転付勢と逆方向へ回転することにより前記インナーメンバ係合突部と前記中間メンバ係合突起との係合が解除されて前記中間メンバと前記インナーメンバのロックが解除され、前記インナーメンバが前記中間メンバの中を摺動後退するとともに、前記中間メンバが前記アウターメンバにロック抱合されるように作動序列制御される構成である。
【００１２】
また、前記中間メンバ制御突起は、当接する前記アウターメンバ係合突部を係合位置方向と反対側に回転移動させるため、前記中間メンバ先端部側に制御スロープを設けた構成である。
【発明の効果】
【００１３】
本発明に係る逆序列機構スライドレールは、上記詳述した通りの構成であるので、以下のような効果がある。
１．作動制御板を係合位置方向へ回転付勢させるとともに、係合位置に中間メンバ制御突起および中間メンバ係合突起を設ける構成としたため、作動制御板の回転動作を制御することにより、各メンバの引出／引込順を制御することが可能となる。また、作動制御板に各種突部を突設したため、スライドレールの前後動中にアウターメンバやインナーメンバに設けられた各係合突起に各種突部が接することによって作動制御板の回転動作のタイミングを取る事が可能となり、少ない部品点数で、自然かつスムーズな作動序列の制御を行う事が可能となる。
【００１４】
２．インナーメンバの引出動作時において、アウターメンバ係合突部が中間メンバ制御突起に係合して中間メンバが先行して前進することを防止し、この係合をインナーメンバ先端部が解除する構成としたため、スライドレールの伸張時にインナーメンバを優先的に延伸させることが可能となる。また、インナーメンバの引込作動時において、中間メンバ先端部にインナーメンバ先端部が到達した際、作動制御板が回転解除溝に嵌合して係合位置方向へ回転することにより、インナーメンバ係合突部が中間メンバ係合突起に係合する構成としたため、インナーメンバが中間メンバにロック抱合されることとなり、インナーメンバが中間メンバを追い越して引込むことが防止できる。
【００１５】
３．中間メンバ制御突起の中間メンバ先端部側に制御スロープを設けたため、アウターメンバ係合突部が当接する際に、容易に作動制御板を係合位置と逆方向へ回転させることが可能となる。
【発明を実施するための最良の形態】
【００１６】
以下、本発明に係る逆序列機構スライドレールを図面に示す実施例に基づいて詳細に説明する。
図１は、本発明に係る逆序列機構スライドレールの初期状態を示す平面図であり、図２ａは、作動制御板の平面斜視図であり、図２ｂは、作動制御板の背面斜視図である。図３は、逆序列機構スライドレールのフルトラベル状態を示す平面図であり、図４は、インナーメンバが中間メンバをロックした状態を示す平面図である。図５は、インナーメンバが中間メンバをロックした状態を示す背面斜視図であり、図６は、逆序列機構スライドレールの断面図である。
【００１７】
本発明に係る逆序列機構スライドレール１は、アウターメンバ１００と、インナーメンバ２００と、中間メンバ３００と、ボール４１０を整列保持するボールリテーナ４００と、序列機構１０と、からなり、序列機構１０が、アウターメンバ１００とインナーメンバ２００と中間メンバ３００とからなる３段式スライドレールのトラベル時の各々の作動序列を制御し、特にインナーメンバ２００の引込作動時に、インナーメンバ２００が中間メンバ３００を追い越した状態で中間メンバ３００がアウターメンバ１００に引き込まれることを防止することを可能とした序列機構付きの逆序列機構スライドレールである。
【００１８】
アウターメンバ１００は、抽斗、可動棚等が設置されるフレーム、壁、梁等に直接またはブラケット等の結合部材により固定される部材であり、図１および図６に示すように、ボールリテーナ４００を介して中間メンバ３００に接続される外部部材である。本実施例では、金属製細長板の長手方向両側端を立ち上げて屈曲させて鉤型形状にすることで断面略Ｕ字型に形成しており、横断面の長手方向の両側端を平行に抱え込んで、断面略Ｃ字型のボール４１０走行面を形成した構成である。
【００１９】
インナーメンバ２００は、抽斗、可動棚等の可動側に装着される部材であり、図１および図６に示すように、ボールリテーナ４００を介して摺動自在にアウターメンバ１００に内装保持される構成である。本実施例では、金属製細長板の横断面の長手方向両側端を屈曲して断面略逆Ｕ字型に形成するとともに、屈曲した両側端の外側面を曲面状に形成してボール４１０の走行面を形成した構成である。
【００２０】
中間メンバ３００は、アウターメンバ１００およびインナーメンバ２００の間に前後動自在に設置される、スライドレールのトラベルの長さを延長するための部材であり、図１および図６に示すように、金属製細長板の横断面の長手方向両側端を屈曲して断面略Ｕ字型に形成するとともに、屈曲した両側端の外側面および内側面を曲面状に形成してボール４１０の走行面を形成した構成である。本実施例では、中間メンバ３００は、インナーメンバ２００より長尺に形成されており、インナーメンバ２００は他のメンバより短く構成されているため、各メンバが最終端まで引き込まれた場合、インナーメンバ２００は、アウターメンバ１００ないし中間メンバ３００の先端部（１００ｅ・３００ｅ）より内側に引込まれて収納される事となる。
【００２１】
ボールリテーナ４００は、アウターメンバ１００と中間メンバ３００の間、および、インナーメンバ２００と中間メンバ３００の間にそれぞれ装着される部材であり、それぞれの間に装着されて左右一対の列を成す複数のボール４１０を整列保持する部材である。ボールリテーナ４００は、本実施例では、細長金属板からなり、図６に示すように、アウターメンバ１００と中間メンバ３００の間、および、インナーメンバ２００と中間メンバ３００の間にそれぞれ挿入可能に形成されており、細長金属板の長手方向両側端を屈曲して形成した断面略Ｕ字型の両腕部に複数のボール４１０を回転自在に整列保持する構造である。
【００２２】
詳細には、中間メンバ３００は、アウターメンバ１００に収納された状態で、内側ボール走行面がアウターメンバ１００の外側ボール走行面と対を成すように形成されており、ボール４１０は、ボールリテーナ４００の両腕部によって並列にスライドレールの摺動方向の数箇所に複数個保持される。更に、インナーメンバ２００は、中間メンバ３００に収納された状態で、内側ボール走行面が中間メンバ３００の外側ボール走行面と対を成すように形成されており、ボール４１０は、ボールリテーナ４００の両腕部によって並列にスライドレールの摺動方向の数箇所に複数個保持される構成である。
【００２３】
本発明に係る逆序列機構スライドレール１は序列機構１０を装備する構成である。序列機構１０は、アウターメンバ１００とインナーメンバ２００と中間メンバ３００とからなる３段式スライドレールのトラベル時において各々の作動序列を制御することを目的とするもので、特にインナーメンバ２００の引込作動時において、インナーメンバ２００が中間メンバ３００を追い越した状態で中間メンバ３００がアウターメンバ１００に引き込まれることを防止するための機構であり、アウターメンバ１００およびインナーメンバ２００に設けられる各種突起および中間メンバ３００に設けられる作動制御板３１０とからなる構成である。序列機構１０を形成する各部材がスライドレールのトラベル時に協動することにより、各メンバの作動序列を順次制御する構造である。
【００２４】
序列機構１０は、中間メンバ制御突起１１０と、中間メンバ係合突起２１０と、作動制御板３１０とからなる。中間メンバ制御突起１１０は、スライドレールの引出方向へのトラベル時に、インナーメンバ２００より先に中間メンバ３００が引出方向へ移動しないようにするために用いられる突起状部材であり、図１に示すように、アウターメンバ先端部１００ｅのスライドレール幅方向中央から端辺部方向へ偏位した係合位置ｓに突設される。
【００２５】
中間メンバ係合突起２１０は、スライドレールの引込方向へのトラベル時に、インナーメンバ２００が中間メンバ３００を追い越して引込方向へ移動しないようにするために用いられる突起状部材であり、図１に示すように、インナーメンバ先端部２００ｅ近くに突設され、スライドレールの引込作動時に、後述する作動制御板３１０に対して付勢回転により係合する構成である。
【００２６】
作動制御板３１０は、スライドレールの各メンバの動作に応じて揺動することにより、中間メンバ制御突起１１０および中間メンバ係合突起２１０に当接して係合することにより、または係合を解除して、スライドレールを構成する各メンバの作動序列を制御する部材であり、図１に示すように、中間メンバ先端部３００ｅに揺動自在に軸着される。
【００２７】
作動制御板３１０は、本実施例では、図１に示すように、バネ状の弾性部材３１２によって、係合位置ｓ方向（図１に示す矢印Ａ下方向）へ回転付勢された状態を保持した構成である。これにより、作動制御板３１０は、常に係合位置方向へ付勢されることとなり、作動制御板３１０が係合位置ｓ方向へ付勢されて軸回転している状態の場合に、中間メンバ制御突起１１０または中間メンバ係合突起２１０に係合してロック状態を形成するものである。また、弾性部材３１２による作動制御板３１０の係合位置方向への付勢が解除された場合に、中間メンバ制御突起１１０または中間メンバ係合突起２１０への係合によるロック状態が解除される構成である。
【００２８】
作動制御板３１０について、詳細に説明する。作動制御板３１０は、本実施例では、図１、図２ａおよび図２ｂに示すように、４つの脚を４角に立てた状態の平板状の部材であり、アウターメンバ係合突部３１４と、インナーメンバ係合突部３１６と、中間メンバ係合解除凸部３１８と、が４角に突設された構成である。
【００２９】
アウターメンバ係合突部３１４は、スライドレールの引出動作時に、中間メンバ制御突起１１０に当接して、中間メンバ３００がインナーメンバ２００より先に引出方向へ移動することを防止するための脚状の突部であり、アウターメンバ１００方向へ向けて立ち上がり突設されている。本実施例では、図１、図２ａおよび図２ｂに示すように、作動制御板３１０の端部に二つのアウターメンバ係合突部３１４が対称に設けられる構成となっているが、これに限定されることはなく、中間メンバ制御突起１１０に係合可能であれば、一のアウターメンバ係合突部３１４であってもよいし、形状を変更して構成することが可能である。
【００３０】
インナーメンバ係合突部３１６は、スライドレールの引込動作時に、中間メンバ係合突起２１０に係合して、インナーメンバ２００が中間メンバ３００を追い越して引込方向へ移動することを防止するための突部であり、インナーメンバ２００方向へ向けて突設されている。本実施例では、図１、図２ａおよび図２ｂに示すように、作動制御板３１０の中央部であって、作動制御板３１０の回転付勢方向と反対の位置に設けられる構成となっているが、これに限定されることはなく、中間メンバ係合突起２１０に係合可能であれば、形状や突設位置を変更して構成することが可能である。
【００３１】
中間メンバ係合解除凸部３１８は、スライドレールの引出動作時に、インナーメンバ２００に当接して作動制御板３１０を回転付勢と逆方向へ回転させるための突部であり、インナーメンバ２００方向へ向けて突設される。中間メンバ係合解除凸部３１８は、インナーメンバ２００が引き出される際に、インナーメンバ２００の先端部２００ｅに当接する。作動制御板３１０は、弾性部材３１２によって係合位置ｓ方向へ回転付勢されているが、この当接押圧によって係合位置ｓ方向と反対方向に回転する。これにより、中間メンバ制御突起１１０とアウターメンバ係合突部３１４の係合か解除される仕組みである。
【００３２】
なお、中間メンバ係合解除凸部３１８は、本実施例では、図１、図２ａおよび図２ｂに示すように、作動制御板３１０の中央部であって、作動制御板３１０の回転付勢方向の位置に突設される構成となっているが、これに限定されることはなく、インナーメンバ２００の先端部２００ｅに当接可能であれば、形状や突設位置を変更することも可能である。
【００３３】
インナーメンバ２００は、図１に示すように、保持部２２０と、回転解除溝２３０が設けられた構成である。保持部２２０は、インナーメンバ２００が引込作動時に引き込まれる際に、中間メンバ３００に設置される作動制御板３１０を保持する。保持部２２０は、本実施例では、図３に示すように、インナーメンバ２００の長手方向両側端の内側に設けられ、作動制御板３１０を弾性部材３１２によって付勢された方向と反対方向に軸回転した姿勢で摺動可能に保持する。これにより、インナーメンバ２００が中間メンバ３００を引込方向に移動する際に、中間メンバ３００の作動制御板３１０が弾性部材３１２による付勢力を維持した状態で、インナーメンバ２００内を摺動するように保持される事となる。
【００３４】
回転解除溝２３０は、インナーメンバ２００の係合位置ｓ方向に設けられる溝（開口）であり、保持部２２０による作動制御板３１０の保持を解除するために用いられる。回転解除溝２３０は、本実施例では、インナーメンバ２００の長手方向両側端の係合位置ｓ方向に削設され、インナーメンバ２００内を摺動する作動制御板３１０が回転解除溝２３０の位置まで移動した場合に、弾性部材３１２による付勢によって回転することを可能とする。この作動制御板３１０の回転により、作動制御板３１０のインナーメンバ係合突部３１６がインナーメンバ２００の中間メンバ係合突起２１０に係合してロック状態を形成し、インナーメンバ２００が中間メンバ３００に係合した状態で、追い越すことなくアウターレール３００内に引き込まれる事となる。
【００３５】
次に、本発明に係る序列機構１０付きの逆序列機構スライドレール１の動作について詳述する。
＜インナーメンバの引出動作時＞
逆序列機構スライドレール１は、インナーメンバ２００の引出作動時において、まず、インナーメンバ２００の動作に伴ってインナーメンバ２００より長尺の中間メンバ３００が引き出し方向へ移動した場合、図１に示すように、スライドレールの中央から係合位置ｓ方向（図１の矢印Ａ下方向）方向へ回転付勢されている作動制御板３１０に突設されるアウターメンバ係合突部３１４が、アウターメンバ１００の中間メンバ制御突起１１０に係合する。これにより、アウターメンバ１００が中間メンバ３００をロック停止して、中間メンバ３００が先にアウターメンバ１００から突出することを防いでいる。その状態で中間メンバ３００内をインナーメンバ２００がスライドレールの先端方向に摺動前進して引き出される。
【００３６】
その後、インナーメンバ先端部２００ｅが、中間メンバ先端部３００ｅへ到達すると、インナーメンバ先端部２００ｅが中間メンバ係合解除凸部３１８に当接押圧する。これにより、作動制御板３１０が係合位置ｓ方向からスライドレールの中央方向（図１の矢印Ａ上方向）へ押圧回転移動し、アウターメンバ係合突部３１４と中間メンバ制御突起１１０との係合が解除される。これにより、中間メンバ３００のロック停止が解除され、中間メンバ３００がアウターメンバ１００の中を解放された状態で先端まで摺動伸延することが可能となる。インナーメンバ２００は、作動制御板３１０を保持部２２０で保持しながら、中間メンバ３００の中を先端まで摺動伸延する。これにより、中間メンバ３００がインナーメンバ２００を追い越すことなく、インナーメンバ２００から順番に引き出されるように作動序列制御され、図３に示すように、中間メンバ３００およびインナーメンバ２００が引き出された状態となる。
【００３７】
なお、本実施例では、図１および図５に示すように、中間メンバ係合突起２１０のスライドレール引出方向に解除スロープ２１４が設けられている。インナーメンバ先端部２００ｅが中間メンバ係合解除凸部３１８に当接押圧した後に、解除スロープ２１４が更にインナーメンバ係合突部３１６を押圧することにより、作動制御板３１０が更に押圧回転移動して、確実にアウターメンバ係合突部３１４と中間メンバ制御突起１１０との係合を解除する。なお、解除スロープ２１４を形成する事は任意であり、また、この構造に限定されるものではない。
【００３８】
＜インナーメンバの引込作動時＞
逆序列機構スライドレール１は、インナーメンバ２００の引込作動時において、インナーメンバ２００の引込による摺動後退の中途で、中間メンバ先端部３００ｅにインナーメンバ先端部２００ｅが到達した場合に、インナーメンバ２００の保持部２２０に保持された作動制御板３１０が、図４および図５に示すように、弾性部材３１２によって回転付勢され回転解除溝２３０に嵌合することにより、係合位置ｓ方向（矢印Ａ下方向、図４参照）へ回転する。これにより、図４および図５に示すように、インナーメンバ係合突部３１６が、中間メンバ係合突起２１０に係合する。この係合によって、インナーメンバ２００が中間メンバ３００にロック抱合されて引込動作が継続されることとなり、インナーメンバ２００が中間メンバ３００を追い越してアウターメンバ１００および中間メンバ３００内に引き込まれることが防止できる。
【００３９】
その後、アウターメンバ１００の中を中間メンバ３００がインナーメンバ２００をロック抱合した状態で摺動後退する。中間メンバ３００の先端部３００ｅがアウターメンバ１００の先端部１００ｅに到達すると、図１で示すように、作動制御板３１０のアウターメンバ係合突部３１４が中間メンバ制御突起１１０に当接して、作動制御板３１０を弾性部材３１２による回転付勢と逆方向（矢印Ａ上方向）へ回転する。これにより、インナーメンバ係合突部３１６と中間メンバ係合突起２１０との係合が解除され、中間メンバ３００とインナーメンバ２００のロックが解除されることとなる。
【００４０】
その後、インナーメンバ２００が中間メンバ３００の中を摺動後退するとともに、作動制御板３１０に突設されるアウターメンバ係合突部３１４が、アウターメンバ１００の中間メンバ制御突起１１０に係合することにより、中間メンバ３００がアウターメンバ１００にロック抱合される。これにより、インナーメンバ２００が中間メンバ３００を追い越すことなく、引き込まれるように作動序列制御されるとともに、インナーメンバ２００の引き込み後に中間メンバ３００が単独でアウターメンバ１００から引き出されることを防止した状態で、図１に示す初期状態に戻すことが可能となる。
【００４１】
中間メンバ制御突起１１０は、図１に示すように、本実施例では、制御スロープ１１２を設けた構成としている。制御スロープ１１２は、中間メンバ制御突起１１０の中間メンバ先端部２００ｅ側に設けられる傾斜であり、中間メンバ３００の引込作動中にアウターメンバ係合突部３１４がこの傾斜に接することにより、容易に中間メンバ制御突起１１０をアウターメンバ係合突部３１４が乗り越えることが可能となる。すなわち、この構成とすることにより、中間メンバ制御突起１１０に当接するアウターメンバ係合突部３１４を係合位置ｓ方向と反対側に回転移動させることが可能となり、スムーズな引込作動を実現することが可能となる。
【図面の簡単な説明】
【００４２】
【図１】本発明に係る逆序列機構スライドレールの初期状態を示す平面図
【図２ａ】作動制御板の平面斜視図
【図２ｂ】作動制御板の背面斜視図
【図３】逆序列機構スライドレールのフルトラベル状態を示す平面図
【図４】インナーメンバが中間メンバをロックした状態を示す平面図
【図５】インナーメンバが中間メンバをロックした状態を示す背面斜視図
【図６】逆序列機構スライドレールの断面図
【符号の説明】
【００４３】
１    逆序列機構スライドレール
１０    序列機構
１００    アウターメンバ
１００ｅ    アウターメンバ先端部
１１０    中間メンバ制御突起
１１２    制御スロープ
２００    インナーメンバ
２００ｅ    インナーメンバ先端部
２１０    中間メンバ係合突起
２１４    解除スロープ
２２０    保持部
２３０    回転解除溝
３００    中間メンバ
３００ｅ    中間メンバ先端部
３１０    作動制御板
３１２    弾性部材
３１４    アウターメンバ係合突部
３１６    インナーメンバ係合突部
３１８    中間メンバ係合解除凸部
４００    ボールリテーナ
４１０    ボール
ｓ    係合位置
【図１】
2020005685.tif 000003
【図２ａ】
2020005685.tif 000004
【図２ｂ】
2020005685.tif 000005
【図３】
2020005685.tif 000006
【図４】
2020005685.tif 000007
【図５】
2020005685.tif 000008
【図６】
2020005685.tif 000009
【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
アウターメンバ(100)と、インナーメンバ(200)と、前記アウターメンバおよびインナーメンバの間に前後動自在に設置されるインナーメンバより長尺の中間メンバ(300)と、ボール(410)と、ボールリテーナ(400)とからなる序列機構(10)付きの逆序列機構スライドレール(1)において、
前記序列機構(10)は、アウターメンバ先端部(100e)のスライドレール幅方向中央から端辺部方向へ偏位した係合位置(s)に突設される中間メンバ制御突起(110)と、中間メンバ先端部(300e)に揺動自在に軸着されるとともに弾性部材(312)によって係合位置(s)方向へ回転付勢される作動制御板(310)と、インナーメンバ先端部(200e)に突設される前記作動制御板と付勢回転により係合する中間メンバ係合突起(210)と、からなり、
前記作動制御板(310)は、前記中間メンバ制御突起(110)に係合するためのアウターメンバ係合突部(314)と、前記中間メンバ係合突起(210)に係合するためのインナーメンバ係合突部(316)と、前記インナーメンバに当接して作動制御板を回転付勢と逆方向へ回転させるための中間メンバ係合解除凸部(318)と、を突設するとともに、前記インナーメンバ(200)は、引込作動時に前記作動制御板(310)を保持する保持部(220)と、前記作動制御板の保持を解除して係合位置s方向へ回転可能とする回転解除溝(230)と、を設けた事を特徴とする逆序列機構スライドレール。
【請求項２】
前記逆序列機構スライドレールは、
前記インナーメンバの引出作動時は、係合位置(s)方向へ回転付勢される前記作動制御板(310)の前記アウターメンバ係合突部(314)が前記中間メンバ制御突起(110)に係合することにより、前記アウターメンバ(100)が前記中間メンバ(300)をロック停止した状態で前記中間メンバ内を前記インナーメンバ(200)がスライドレールの先端方向に摺動前進し、前記インナーメンバ先端部(200e)が前記中間メンバ先端部(300e)へ到達した時には、前記インナーメンバ先端部(200e)が中間メンバ係合解除凸部(318)に当接押圧して前記アウターメンバ係合突部(314)と前記中間メンバ制御突起(110)との係合を解除することにより、前記中間メンバのロック停止が解除され、前記中間メンバ(300)が前記アウターメンバ(100)の中を解放された状態で先端まで摺動伸延するとともに前記インナーメンバ(200)が前記作動制御板(310)を保持しながら中間メンバ(300)の中を先端まで摺動伸延するように作動序列制御され、
前記インナーメンバの引込作動時は、前記インナーメンバ(200)の摺動後退の中途で前記中間メンバ先端部(300e)に前記インナーメンバ先端部(200e)が到達した際に、保持部(220)に保持された前記作動制御板(310)が前記回転解除溝(230)に嵌合して係合位置(s)方向へ回転することにより、前記インナーメンバ係合突部(316)が前記中間メンバ係合突起(210)に係合して前記インナーメンバ(200)が前記中間メンバ(300)にロック抱合され、前記アウターメンバ(100)の中を前記中間メンバ(300)が前記インナーメンバ(200)とともに摺動後退し、前記中間メンバ(300)の先端部(300e)が前記アウターメンバ(100)の先端部(100e)に到達すると、前記作動制御板(310)のアウターメンバ係合突部(314)が中間メンバ制御突起(110)に当接して前記作動制御板(310)を回転付勢と逆方向（A上方向）へ回転することにより前記インナーメンバ係合突部(316)と前記中間メンバ係合突起(210)との係合が解除されて前記中間メンバ(300)と前記インナーメンバ(200)のロックが解除され、前記インナーメンバ(200)が前記中間メンバ(300)の中を摺動後退するとともに、前記中間メンバ(300)が前記アウターメンバ(100)にロック抱合されるように作動序列制御されることを特徴とする請求項１記載の逆序列機構スライドレール。
【請求項３】
前記中間メンバ制御突起(110)は、当接する前記アウターメンバ係合突部(314)を係合位置(s)方向と反対側に回転移動させるため、前記中間メンバ先端部(300e)側に制御スロープ(112)を設けたことを特徴とする請求項１記載の逆序列機構スライドレール。
【手続補正２】
【補正対象書類名】明細書
【補正対象項目名】００４１
【補正方法】変更
【補正の内容】
【００４１】
中間メンバ制御突起１１０は、図１に示すように、本実施例では、制御スロープ１１２を設けた構成としている。制御スロープ１１２は、中間メンバ制御突起１１０の中間メンバ先端部３００ｅ側に設けられる傾斜であり、中間メンバ３００の引込作動中にアウターメンバ係合突部３１４がこの傾斜に接することにより、容易に中間メンバ制御突起１１０をアウターメンバ係合突部３１４が乗り越えることが可能となる。すなわち、この構成とすることにより、中間メンバ制御突起１１０に当接するアウターメンバ係合突部３１４を係合位置ｓ方向と反対側に回転移動させることが可能となり、スムーズな引込作動を実現することが可能となる。